(57)【要約】【課題】左右の側板間に亘って架設されるガイド板や商品投入姿勢矯正板等の部材の取付け構造の合理的な改造をもって、特殊な組立て治具及びプレス治具を用いることなく能率良く容易に組立てることができるとともに、部品コスト及び製造コストの低廉化と構造の簡素化とを図る。【解決手段】商品収納庫内に支持される左右の側板２間に、多数の湾曲状のガイド板を前後方向に間隔をおいて対向させた状態で上下方向に配設して、蛇行状の商品収納通路が形成され、両側板２間に亘って取付けられる部材１２が、左右の側板２に設けられた取付け孔１８に対して差し込み自在で、かつ、所定位置に差し込まれたとき取付け孔１８の周縁に係合して左右方向での相対移動を阻止する差込み連結手段Ｃが設けられている。【選択図】　　　　図９
2004086854.tif 000002
【特許請求の範囲】
【請求項１】
商品収納庫内に支持される左右の側板間に、多数の湾曲状のガイド板を前後方向に間隔をおいて対向させた状態で上下方向に配設して、蛇行状の商品収納通路を形成し、商品収納通路内に水平状態で上部に積み上げ収納された商品を商品払出指令毎に一つずつ払い出す払出機構を商品通路の下部に設けてある自動販売機の商品収納装置であって、
左右の側板間に亘って取付けられる部材が、左右の側板に設けられた取付け孔に対して差し込み自在で、かつ、所定位置に差し込まれたとき取付け孔の周縁に係合して左右方向での相対移動を阻止する差込み連結手段が設けられている自動販売機の商品収納装置。
【請求項２】
前記左右の側板に設けられた取付け孔の周縁には、部材の差込み時にたわみ変形を起こし、差込み後に元に復帰して部材を抜止め保持する変形部が形成されている請求項１記載の自動販売機の商品収納装置。
【請求項３】
商品収納庫内に吊下げ支持される左右の側板間に、多数の湾曲状のガイド板を前後方向に間隔をおいて対向させた状態で上下方向に配設して、蛇行状の商品収納通路を形成してある自動販売機の商品収納コラムであって、前記ガイド板の左右両側部及び／又はガイド板を組付けてある取付け基材の左右両側部の各々に、側板に形成された取付け孔に対して左右方向から差し込み自在で、かつ、所定位置に差し込まれたとき取付け孔の周縁に係合して左右方向での相対移動を阻止する差込み連結手段が設けられている自動販売機の商品収納コラム。
【請求項４】
前記ガイド板が、上端側の横軸芯周りで揺動自在で、かつ、商品長さに応じて通路幅を変更する幅調整板の通路幅変更操作領域外の商品収納通路部分内に突出付勢された可動ガイド板と、上下両端部が左右の側板に直接又は間接的に固定連結された固定ガイド板とから構成されているとともに、前記取付け基材には、可動ガイド板を揺動自在に枢支する枢支手段と、これに枢支された可動ガイド板に突出側への弾性付勢力を付与した状態で弾性付勢体を取付ける取付け手段とが設けられている請求項３記載の自動販売機の商品収納コラム。
【請求項５】
前記固定ガイド板の上端側の左右両側部には差込み連結手段が設けられているとともに、固定ガイド板の下端部には、下方に隣接する他の固定ガイド板の上端部に形成されている被係合部と係合して、少なくとも両者の前後方向での相対移動を阻止する係合部が形成されている請求項４記載の自動販売機の商品収納コラム。
【請求項６】
前記商品収納通路の下部側に突出付勢される売切れ感知板を組付けてある板状の第２取付け基材の左右両側部には、側板に形成された取付け孔に対して左右方向から差し込み自在な架設用の掛止部が形成されている請求項３〜５のいずれか１項に記載の自動販売機の商品収納コラム。
【請求項７】
前記差込み連結手段が、側板に形成された取付け孔の周縁の一部を弾性変形させながら通路幅方向から差し込み自在で、かつ、所定差し込み位置で取付け孔の周縁の一部に係合する抜止め用の係止凹部を備えた掛止部から構成されている請求項３〜６のいずれか１項に記載の自動販売機の商品収納コラム。
【請求項８】
前記被係合部が、下方に隣接する他の固定ガイド板の上端部の左右両側部に形成された係止孔であり、前記係合部が、固定ガイド板の下端縁の左右両側部から下方に突出形成された係止突片であって、各係止突片が、商品収納通路側から係止孔を通して他の固定ガイド板の背面側に挿入係合させるように構成されている請求項５記載の自動販売機の商品収納コラム。
【請求項９】
前記第２取付け基材の下端部には、売切れ感知板の上端部に折り曲げ形成されたフック状の係止部を揺動自在に支持する筒部と、売切れ感知板の係止部に対して上下逆向き姿勢で嵌合装着した第２取付け基材の筒部をそれの筒軸芯周りで正規の姿勢に戻し回転操作したとき、係止部が周方向から係入する係止孔とが形成されているとともに、正規姿勢にある第２取付け基材に対して上方から外套装着自在で、かつ、その外套装着時に売切れ感知板を商品収納通路側に突出付勢する板バネが設けられている請求項６記載の自動販売機の商品収納コラム。
【請求項１０】
商品収納庫内に吊下げ支持される左右の側板間に、多数の湾曲状のガイド板を前後方向に間隔をおいて対向させた状態で上下方向に配設して、蛇行状の商品収納通路を形成するとともに、ガイド板の少なくとも一部が、上端側の横軸芯周りで揺動自在で、かつ、商品長さに応じて通路幅を変更する幅調整板の通路幅変更操作領域外の商品収納通路部分内に突出付勢された可動ガイド板から構成されている商品収納コラムであって、
前記可動ガイド板を揺動自在に枢支する取付け基材の左右両側部に、左右の側板に設けられた取付け孔に対して差し込み自在で、かつ、所定位置に差し込まれたとき取付け基材の左右方向での相対移動を阻止する差込み連結手段が設けられているとともに、取付け基材には、可動ガイド板を突出付勢する捻りコイルバネのコイル部を外嵌状態で保持するコイル保持部が設けられている自動販売機の商品収納コラム。
【請求項１１】
前記取付け基材の下端部には、可動ガイド板の上端部に折り曲げ形成された筒軸部の左右両側部分を揺動自在に内嵌状態で支承する軸受け筒部が折り曲げ形成されているとともに、一方の軸受け筒部がコイル保持部に構成されている請求項１０記載の自動販売機の商品収納コラム。
【請求項１２】
商品収納庫内に、左右の側板間に蛇行状の商品収納通路を形成する多数の湾曲状のガイド板を上下方向に配設してなる商品収納コラムが、前後方向で複数列形成されているとともに、ガイド板の少なくとも一部が、上端側の横軸芯周りで揺動自在で、かつ、商品長さに応じて通路幅を変更する幅調整板の通路幅変更操作領域外の商品収納通路部分内に突出付勢された可動ガイド板から構成されている自動販売機の商品収納装置であって、
前記可動ガイド板を揺動自在に枢支する取付け基材の左右両側部に、左右の側板に設けられた取付け孔に対して差し込み自在で、かつ、所定位置に差し込まれたとき取付け基材の左右方向での相対移動を阻止する差込み連結手段が設けられているとともに、最前列に位置する商品収納通路の最上部位置には、可動ガイド板の少なくとも上側部が商品投入口に対面する状態で取付け基材が側板に取付けられている自動販売機の商品収納装置。
【発明の詳細な説明】
【０００１】
【発明の属する技術分野】
本発明は、商品収納庫内に支持される左右の側板間に、多数の湾曲状のガイド板を前後方向に間隔をおいて対向させた状態で上下方向に配設して、蛇行状の商品収納通路を形成し、商品収納通路内に水平状態で上部に積み上げ収納された商品を商品払出指令毎に一つずつ払い出す払出機構を商品通路の下部に設けてある自動販売機の商品収納装置と、それに用いられる商品収納コラム、つまり、商品収納庫内に吊下げ支持される左右の側板間に、多数の湾曲状のガイド板を前後方向に間隔をおいて対向させた状態で上下方向に配設して、蛇行状の商品収納通路を形成してある自動販売機の商品収納コラムの改良に関する。
【０００２】
【従来の技術】
従来の自動販売機の商品収納コラムでは、図４０に示すように、左右の側板２間に配設される全てのガイド板の各々が、商品長さに応じて通路幅を変更する幅調整板の通路幅変更操作領域Ｗ１外の商品収納通路部分Ｗ２に対応する幅に構成された可動ガイド板５０と、幅調整板の通路幅変更操作領域Ｗ１に対応する幅に構成された固定ガイド板５１とを並設して構成されているとともに、可動ガイド板５０の上端部にカール形成された筒部５０Ａと、固定ガイド板５１の上端部にカール形成された筒部５１Ａとに亘って挿通された第１筒軸５２を、左右の側板２に形成されている取付け孔５５に亘って貫通状態で架設し、更に、固定ガイド板５１の下端部にカール加工された筒部５１Ｂに挿通された第２筒軸５３を、左右の側板２に形成されている取付け孔５６に亘って貫通状態で架設したのち、各筒軸５２，５３の両突出端部５２ａ，５３ａの各々を、側板２の外側面に沿って抜止め状態に放射状に折り曲げ加工していた。
【０００３】
また、第１筒軸５２のうち、可動ガイド板５０の上端筒部５０Ａに切欠き形成された凹部５０ａに臨む軸部分には、可動ガイド板５０を商品収納通路側に突出付勢する捻じりコイルバネ５４を、それの両端部５４ａ，５４ｂを可動ガイド板５０に形成した係止片５０ｂと上方側に隣接する他の第２筒軸５３とに当て付けた状態で装着するとともに、第２筒軸５３のうち、幅調整板の通路幅変更操作領域Ｗ１外に位置する部分を、商品との接触に伴う可動ガイド板５０の通路外方側への最大揺動位置を当接により規制するストッパーに構成していた。
【０００４】
【発明が解決しようとする課題】
従来の自動販売機の商品収納コラムでは、可動ガイド板５０、固定ガイド板５１、第１筒軸５２、第２筒軸５３といった多数の部品が必要で、しかも、可動ガイド板５０の上端部５０Ａ及び固定ガイド板５１の上下両端部５１Ａ，５１Ｂをそれぞれ筒状にカール加工する必要があるため、構造の複雑化と部品コストの高騰化を招来していた。
【０００５】
しかも、左右の側板２に可動ガイド板５０及び固定ガイド板５１を組み立てる場合、従来では、可動ガイド板５０、固定ガイド板５１、第１筒軸５２、第２筒軸５３といった多数の部品を自立させるための多数のガイドピンを上下姿勢で植設してある組立て治具を準備し、この組立て治具の上面に、各ガイドピンに対応する箇所に取付け孔が形成されている一方の側板２を載置し、可動ガイド板５０、固定ガイド板５１、第１筒軸５２、第２筒軸５３といった多数の部品を各ガイドピンに組付けたのち、多数の取付け孔５５が形成されている他方の側板２を装着し、各筒軸５２，５３の両突出端部５２ａ，５３ａをプレス治具で曲げ加工することになる。
【０００６】
そのため、組立工数が多くなるばかりでなく、大きな特殊な組立て治具及びプレス治具が必要で、しかも、商品収納コラムの種類に応じて組立て治具及びプレス治具の構成も異なるため、治具費用及び段取りの負担が大きくなり、製造コストの高騰化と組立作業能率の低下を招来する大きな要因になっていた。
【０００７】
本発明は、上述の実状に鑑みて為されたものであって、第１の主たる課題は、左右の側板間に亘って架設されるガイド板や商品投入姿勢矯正板等の部材の取付け構造の合理的な改造をもって、特殊な組立て治具及びプレス治具を用いることなく能率良く容易に組立てることができるとともに、部品コスト及び製造コストの低廉化と構造の簡素化とを図ることのできる自動販売機の商品収納装置を提供する点にあり、第２の主たる課題は、ガイド板の取付け構造の合理的な改造をもって、特殊な組立て治具及びプレス治具を用いることなく能率良く容易に組立てることができるとともに、部品コスト及び製造コストの低廉化と構造の簡素化とを図ることのできる自動販売機の商品収納コラムを提供する点にある。
更に、第３の主たる課題は、可動ガイド板の組立て作業の能率化、容易化を図りつつ、可動ガイド板の揺動復帰性能を高めることのできる自動販売機の商品収納コラムを提供する点にあり、第４の主たる課題は、可動ガイド板の組立て作業の能率化、容易化を図りつつ、最前列に位置する商品収納通路の上部での商品投入姿勢の矯正構造を製造コスト面、構造の簡素化面で有利に構成することのできる自動販売機の商品収納装置を提供する点にある。
【０００８】
【課題を解決するための手段】
本発明の請求項１による特徴構成は、商品収納庫内に支持される左右の側板間に、多数の湾曲状のガイド板を前後方向に間隔をおいて対向させた状態で上下方向に配設して、蛇行状の商品収納通路を形成し、商品収納通路内に水平状態で上部に積み上げ収納された商品を商品払出指令毎に一つずつ払い出す払出機構を商品通路の下部に設けてある自動販売機の商品収納装置であって、
左右の側板間に亘って取付けられる部材が、左右の側板に設けられた取付け孔に対して差し込み自在で、かつ、所定位置に差し込まれたとき取付け孔の周縁に係合して左右方向での相対移動を阻止する差込み連結手段が設けられている点にある。
【０００９】
上記特徴構成によれば、左右の側板間に亘って、商品収納通路を形成するガイド板や投入された商品の投入姿勢を矯正する投入姿勢矯正板等の部材を組み立てる場合、部材の左右両側部の各々に設けた差込み連結手段を、両側板の取付け孔に対して左右方向から差し込み操作するだけで済み、しかも、差込み連結手段が所定位置に差し込まれたときには取付け孔の周縁に係合して、部材と側板とが左右方向での相対移動を阻止した状態で固定連結されるから、各部材が両側板の対向間隔を設定間隔に維持するための骨格部材として機能する。
【００１０】
従って、左右の側板を吊下げ支持したまま各部材を組付けることが可能であるから、従来のように商品収納装置の種類に応じた数の組立て治具及びプレス治具を準備する必要がなく、しかも、部品点数及び組立工数の削減を図ることができるとともに、カール加工等の複雑な加工数も少なくなり、部品コスト及び製造コストの低廉化と構造の簡素化とを図りながら能率良く容易に組み立てることができる。
【００１１】
本発明の請求項２による自動販売機の商品収納装置の特徴構成は、前記左右の側板に設けられた取付け孔の周縁に、部材の差込み時にたわみ変形を起こし、差込み後に元に復帰して部材を抜止め保持する変形部が形成されている点にある。
【００１２】
上記特徴構成によれば、取付け孔の周縁に形成された変形部が、部材の差込み操作に連れてたわみ変形し、差込み連結手段が所定位置に差し込まれたとき元に復帰して、部材を所定差込み位置に抜止め保持することができるから、部材を抜止め保持するための特別な弾性片を別途設ける必要がなく、製造コストの低廉化と構造の簡素化を促進することができる。
【００１３】
本発明の請求項３による特徴構成は、商品収納庫内に吊下げ支持される左右の側板間に、多数の湾曲状のガイド板を前後方向に間隔をおいて対向させた状態で上下方向に配設して、蛇行状の商品収納通路を形成してある自動販売機の商品収納コラムであって、
前記ガイド板の左右両側部及び／又はガイド板を組付けてある取付け基材の左右両側部の各々に、側板に形成された取付け孔に対して左右方向から差し込み自在で、かつ、所定位置に差し込まれたとき取付け孔の周縁に係合して左右方向での相対移動を阻止する差込み連結手段が設けられている点にある。
【００１４】
上記特徴構成によれば、左右の側板間に多数のガイド板を組み立てる場合、ガイド板の左右両側部及び／又はガイド板を組付けてある取付け基材の左右両側部の各々に設けた差込み連結手段を、吊下げ支持された両側板の取付け孔に対して左右方向から差し込み操作するだけで済み、しかも、差込み連結手段が所定位置に差し込まれたときには取付け孔の周縁に係合して、ガイド板と側板及び／又は取付け基材と側板とが左右方向での相対移動を阻止した状態で固定連結されるから、各ガイド板及び／又は取付け基材が両側板の対向間隔を設定間隔に維持するための骨格部材として機能する。
【００１５】
従って、左右の側板を吊下げ支持したまま各ガイド板及び／又は取付け基材を組付けることができるから、従来のように商品収納コラムの種類に応じた数の組立て治具及びプレス治具を準備する必要がなく、しかも、部品点数及び組立工数の削減を図ることができるとともに、カール加工等の複雑な加工数も少なくなり、部品コスト及び製造コストの低廉化と構造の簡素化とを図りながら能率良く容易に組み立てることができる。
【００１６】
本発明の請求項４による自動販売機の商品収納コラムの特徴構成は、前記ガイド板が、上端側の横軸芯周りで揺動自在で、かつ、商品長さに応じて通路幅を変更する幅調整板の通路幅変更操作領域外の商品収納通路部分内に突出付勢された可動ガイド板と、上下両端部が左右の側板に直接又は間接的に固定連結された固定ガイド板とから構成されているとともに、前記取付け基材には、可動ガイド板を揺動自在に枢支する枢支手段と、これに枢支された可動ガイド板に突出側への弾性付勢力を付与した状態で弾性付勢体を取付ける取付け手段とが設けられている点にある。
【００１７】
上記特徴構成によれば、左右の側板間に可動ガイド板を組付ける場合、取付け基材に設けた枢支手段により、可動ガイド板を横軸芯周りで揺動自在に組付けることができるばかりでなく、取付け基材に設けた保持手段により、枢支された可動ガイド板に突出側への弾性付勢力を付与した状態で弾性付勢体を予め組付けることができるので、左右の側板に対しては、可動ガイド板と弾性付勢体とを事前に組付けてある取付け基材を左右方向から差し込み操作するだけで済む。
【００１８】
従って、取付け基材に可動ガイド板と弾性付勢体とを予め組付けることによって組立作業性を高めることができるから、構造の簡素化と製造コストの低廉化とを図りつつ組立作業能率の向上を促進することができる。
【００１９】
本発明の請求項５による自動販売機の商品収納コラムの特徴構成は、前記固定ガイド板の上端側の左右両側部に差込み連結手段が設けられているとともに、固定ガイド板の下端部には、下方に隣接する他の固定ガイド板の上端部に形成されている被係合部と係合して、少なくとも両者の前後方向での相対移動を阻止する係合部が形成されている点にある。
【００２０】
上記特徴構成によれば、側板間に上下方向に沿って固定ガイド板を組付ける場合、各固定ガイド板の上端側の左右両側部に設けられた差込み連結手段を、吊下げ支持された両側板の取付け孔に対して左右方向から差し込み操作することにより、差込み連結手段が取付け孔の周縁に係合してガイド板の上端部と側板とが左右方向での相対移動を阻止した状態で固定連結される。
【００２１】
また、各固定ガイド板の下端部に形成された係合部を、下方に隣接する他の固定ガイド板の上端部に形成されている被係合部と係合することにより、各固定ガイド板の下端部を、下方に隣接する他の固定ガイド板の上端部に設けられている差込み連結手段を利用して側板に固定連結することができる。
【００２２】
従って、各固定ガイド板の下端部を側板に直接取付ける場合に比較して、両者の前後方向での相対移動を阻止する係合部と被係合部とを設けるだけで済むから、構造の簡素化と部品点数の削減による製造コストの低廉化を促進することができる。
【００２３】
本発明の請求項６による自動販売機の商品収納コラムの特徴構成は、前記商品収納通路の下部側に突出付勢される売切れ感知板を組付けてある板状の第２取付け基材の左右両側部には、側板に形成された取付け孔に対して左右方向から差し込み自在な架設用の掛止部が形成されている点にある。
【００２４】
上記特徴構成によれば、左右の側板間に売切れ感知板を組付ける場合、この売切れ感知板を組付けてある第２取付け基材の左右両側部に形成された掛止部を、側板に形成された取付け孔に対して左右方向から差し込み操作するだけで済むから、例えば、従来のように、売切れ感知板の上端部に筒部をカール形成し、この筒部に挿通された筒軸を左右の側板に形成された取付け孔に貫通させたのち、筒軸の突出端部を抜止め加工する場合に比して、構造の簡素化と部品点数の削減による製造コストの低廉化を促進することができる。
【００２５】
本発明の請求項７による自動販売機の商品収納コラムの特徴構成は、前記差込み連結手段が、側板に形成された取付け孔の周縁の一部を弾性変形させながら通路幅方向から差し込み自在で、かつ、所定差し込み位置で取付け孔の周縁の一部に係合する抜止め用の係止凹部を備えた掛止部から構成されている点にある。
【００２６】
上記特徴構成によれば、ガイド板及び／又は取付け基材を左右の側板間に架設する際、ガイド板及び／又は取付け基材の両端部に形成された掛止部の各々を、側板に形成された取付け孔に対してそれの周縁の一部を弾性変形させながら通路幅方向から差し込み操作すると、所定差し込み位置に到達した時点で掛止部の係止凹部が取付け孔の周縁の一部に係合し、左右の側板に対してガイド板及び／又は取付け基材が通路幅方向での相対移動を規制した状態で固定連結される。
【００２７】
従って、左右の側板の取付け孔に対してガイド板及び／又は取付け基材の両掛止部を差し込むだけの簡単な操作をもって、ガイド板及び／又は取付け基材を側板に架設することができるから、構造の簡素化と製造コストの低廉化とを図りながら、組立作業能率の向上を促進することができる。
【００２８】
本発明の請求項８による自動販売機の商品収納コラムの特徴構成は、前記被係合部が、下方に隣接する他の固定ガイド板の上端部の左右両側部に形成された係止孔であり、前記係合部が、固定ガイド板の下端縁の左右両側部から下方に突出形成された係止突片であって、各係止突片が、商品収納通路側から係止孔を通して他の固定ガイド板の背面側に挿入係合させるように構成されている点にある。
【００２９】
上記特徴構成によれば、固定ガイド板の下端部と下方に隣接する他の固定ガイド板の上端部とを係合連結する際、固定ガイド板の下端縁の左右両側部から下方に突出形成された係止突片を、商品収納通路側から係止孔を通して他の固定ガイド板の背面側に挿入係合操作させるだけの簡単な操作により、両者の前後方向での相対移動を阻止した状態で左右の側板に間接的に固定することができる。
【００３０】
従って、構造の簡素化と製造コストの低廉化とを図りながら、組立作業能率の向上を促進することができる。
【００３１】
本発明の請求項９による自動販売機の商品収納コラムの特徴構成は、前記第２取付け基材の下端部に、売切れ感知板の上端部に折り曲げ形成されたフック状の係止部を揺動自在に支持する筒部と、売切れ感知板の係止部に対して上下逆向き姿勢で嵌合装着した第２取付け基材の筒部をそれの筒軸芯周りで正規の姿勢に戻し回転操作したとき、係止部が周方向から係入する係止孔とが形成されているとともに、正規姿勢にある第２取付け基材に対して上方から外套装着自在で、かつ、その外套装着時に売切れ感知板を商品収納通路側に突出付勢する板バネが設けられている点にある。
【００３２】
上記特徴構成によれば、側板間に売切れ感知板を組付ける場合、売切れ感知板のフック状係止部と、第２取付け基材の下端部に形成された筒部とを、第２取付け基材を上下逆向き姿勢にした状態で嵌合装着し、この状態で第２取付け基材の筒部をそれの筒軸芯周りで正規の姿勢に戻し回転操作すると、フック状係止部が第２取付け基材に形成された係止孔に係入して、第２取付け基材と売切れ感知板とが係合連結される。
【００３３】
そして、この正規姿勢にある第２取付け基材に対して上方から板バネを外套装着することにより、売切れ感知板を商品収納通路側に突出付勢することができるばかりでなく、第２取付け基材に対する売切れ感知板の抜出しを阻止することができる。
【００３４】
従って、部品点数を削減することができるばかりでなく、カール加工等の複雑な加工数も少なくなり、しかも、左右の側板間に架設される第２取付け基材に売切れ感知板と板バネとを予め組付けることによって組立作業性を高めことができるから、構造の簡素化と製造コストの低廉化とを図りつつ組立作業の能率化を促進することができる。
【００３５】
本発明の請求項１０による特徴構成は、商品収納庫内に吊下げ支持される左右の側板間に、多数の湾曲状のガイド板を前後方向に間隔をおいて対向させた状態で上下方向に配設して、蛇行状の商品収納通路を形成するとともに、ガイド板の少なくとも一部が、上端側の横軸芯周りで揺動自在で、かつ、商品長さに応じて通路幅を変更する幅調整板の通路幅変更操作領域外の商品収納通路部分内に突出付勢された可動ガイド板から構成されている商品収納コラムであって、
前記可動ガイド板を揺動自在に枢支する取付け基材の左右両側部に、左右の側板に設けられた取付け孔に対して差し込み自在で、かつ、所定位置に差し込まれたとき取付け基材の左右方向での相対移動を阻止する差込み連結手段が設けられているとともに、取付け基材には、可動ガイド板を突出付勢する捻りコイルバネのコイル部を外嵌状態で保持するコイル保持部が設けられている。
【００３６】
上記特徴構成によれば、左右の側板間に亘って可動ガイド板を組み立てる場合、可動ガイド板を揺動自在に枢支する取付け基材の左右両側部の各々に設けた差込み連結手段を、両側板の取付け孔に対して左右方向から差し込み操作するだけで済み、しかも、差込み連結手段が所定位置に差し込まれたときには、側板に対して取付け基材が左右方向での相対移動を阻止した状態で保持されるから、各取付け基材が両側板の対向間隔を設定間隔に維持するための骨格部材として機能する。
【００３７】
しかも、可動ガイド板が商品と接触して捻りコイルバネの弾性復元力に抗して揺動したとき、その揺動に連れて捻りコイルバネのコイル部が縮径しても、縮径されたコイル部が挾持密着されるのは、固定側の取付け基材に設けられたコイル保持部となるから、例えば、取付け基材に揺動自在に支承される可動ガイド板側の筒軸部に捻りコイルバネのコイル部を外嵌装着してある場合のように、捻りコイルバネの支持反力の一部が筒軸部に作用することがなく、可動ガイド板の復帰揺動がスムーズになる。
【００３８】
従って、部品コスト及び製造コストの低廉化と構造の簡素化とを図りながら可動ガイド板を能率良く容易に組み立てることができるとともに、可動ガイド板の揺動復帰性能を高めることができる。
【００３９】
本発明の請求項１１による自動販売機の商品収納コラムの特徴構成は、前記取付け基材の下端部に、可動ガイド板の上端部に折り曲げ形成された筒軸部の左右両側部分を揺動自在に内嵌状態で支承する軸受け筒部が折り曲げ形成されているとともに、一方の軸受け筒部がコイル保持部に構成されている点にある。
【００４０】
上記特徴構成によれば、取付け基材の下端部に折り曲げ形成された軸受け筒部に対して、可動ガイド板の上端部に折り曲げ形成された筒軸部の左右両側部分を揺動軸芯方向から挿入支持させるだけで済むから、部品点数及び組立工数の削減を図ることができるとともに、カール加工等の複雑な加工数も少なくなり、しかも、一方の軸受け筒部をコイル保持部に兼用構成することによっても加工工程数の削減を図ることができるから、部品コスト及び製造コストの低廉化と構造の簡素化とを促進しながら能率良く容易に組み立てることができる。
【００４１】
本発明の請求項１２による特徴構成は、商品収納庫内に、左右の側板間に蛇行状の商品収納通路を形成する多数の湾曲状のガイド板を上下方向に配設してなる商品収納コラムが、前後方向で複数列形成されているとともに、ガイド板の少なくとも一部が、上端側の横軸芯周りで揺動自在で、かつ、商品長さに応じて通路幅を変更する幅調整板の通路幅変更操作領域外の商品収納通路部分内に突出付勢された可動ガイド板から構成されている自動販売機の商品収納装置であって、
前記可動ガイド板を揺動自在に枢支する取付け基材の左右両側部に、左右の側板に設けられた取付け孔に対して差し込み自在で、かつ、所定位置に差し込まれたとき取付け基材の左右方向での相対移動を阻止する差込み連結手段が設けられているとともに、最前列に位置する商品収納通路の最上部位置には、可動ガイド板の少なくとも上側部が商品投入口に対面する状態で取付け基材が側板に取付けられている点にある。
【００４２】
上記特徴構成によれば、左右の側板間に亘って可動ガイド板を組み立てる場合、可動ガイド板を揺動自在に枢支する取付け基材の左右両側部の各々に設けた差込み連結手段を、両側板の取付け孔に対して左右方向から差し込み操作するだけで済み、しかも、差込み連結手段が所定位置に差し込まれたときには、側板に対して取付け基材が左右方向での相対移動を阻止した状態で連結されるから、各取付け基材が両側板の対向間隔を設定間隔に維持するための骨格部材として機能する。
【００４３】
しかも、最前列に位置する商品収納通路に対する商品の補給作業を考察すると、一般に、商品投入口から手を差し入れながら商品収納通路の最上部側に商品を略直接的に投入する形態が採られるため、商品収納通路の最上部に移入した商品の投入姿勢を矯正する必要はあるものの、二列目以降の商品収納コラムに対する商品投入ガイド構造のように、商品投入口から商品収納通路の上部位置に滑降案内される投入商品の姿勢を矯正する機能は不要であることを知見した。
そして、この知見に基づいて、可動ガイド板の少なくとも上側部が商品投入口に対面する状態で取付け基材を側板に取付けることにより、商品収納通路側に突出付勢されている可動ガイド板を利用して、投入商品の姿勢を矯正することができるから、構造の複雑な投入姿勢矯正板を削減することができる。
【００４４】
従って、部品コスト及び製造コストの低廉化と構造の簡素化とを図りながら可動ガイド板を能率良く容易に組み立てることができるとともに、最前列に位置する商品収納通路の上部での商品の投入姿勢矯正構造を製造コスト面、構造の簡素化面で有利に構成することができる。
【００４５】
【発明の実施の形態】
〔第１実施形態〕
図１に示す自動販売機の商品収納装置では、断熱壁で囲繞されるキャビネットの商品収納庫内に、飲料缶や飲料瓶、ペットボトル等の複数の商品Ｇを下方に払い出し可能な状態でほぼ上下方向に沿って水平姿勢で積重ね収納するための商品収納通路Ｓを備えた商品収納コラムを前後方向で二列形成してある商品収納コラムユニットＵの三つが、前後方向から吊下げ状態で脱着可能に組付けられているとともに、各商品収納コラムの商品収納通路Ｓの上部には、商品Ｇを投入する商品投入口１が前方に向って開口され、各商品収納通路Ｓの下部には、商品払出指令信号（販売指令信号）に基づいて最下端から二番目に位置する商品Ｇを受止めながら最下端に位置する商品Ｇを一つずつ払い出す商品払出機構Ａが設けられている。
【００４６】
また、前記各商品収納コラムの商品収納通路Ｓのうち、前から二列目以降に位置する商品収納通路Ｓの上部と商品投入口１とを斜めに接続するための傾斜導入通路Ｓ１を形成する商品導入ガイド４が設けられているとともに、各商品導入ガイド４は、奥側ほど少し下方に位置する傾斜姿勢に構成されていて、商品投入口１から投入された商品Ｇは、両側板２間に亘って架設される部材の一例である商品導入ガイド４の傾斜底板４Ａ上を転動しながら商品収納通路Ｓの上部に移入し、商品収納通路Ｓ内を蛇行しながら商品払出機構Ａ側へ搬送される。
【００４７】
前記各商品収納コラムの商品収納通路Ｓ内には、図２、図３に示すように、これの通路幅Ｗを収納される商品Ｇの長さに応じて変更するべく、商品収納通路Ｓの上端近くから下端部にまで及ぶ長さを有する板金製の幅調整板５が配置されているとともに、前記幅調整板５を通路幅方向に平行又は略平行姿勢のまま移動案内するリンク機構Ｂが、各商品収納通路Ｓに臨む一方の側板２と幅調整板５との上下二箇所に亘って枢支連結された二本の金属棒製の揺動リンク６と、幅調整板５の背面に沿う姿勢で揺動リンク６の先端部に亘って枢支連結された板金製の縦リンク７とから構成されている。
【００４８】
前記各揺動リンク６の幅調整板５側の第１揺動軸芯Ｘ１が、通路幅Ｗを広げる側に幅調整板５を移動操作したとき、側板２側の第２揺動軸芯Ｘ２を中心として各揺動リンク６が下向きに揺動し、かつ、通路幅Ｗを狭める側に幅調整板５を移動操作したとき、側板２側の第２揺動軸芯Ｘ２を中心として各揺動リンク６が上向きに揺動する位置に設けられている。
換言すれば、前記各揺動リンク６の幅調整板５側の第１揺動軸芯Ｘ１が、通路幅変更操作領域Ｗ１内では側板２側の第２揺動軸芯Ｘ２よりも常に下方に位置するように構成されている。
【００４９】
また、図１に示すように、二列目の商品収納コラム内に配設される幅調整板５の上部には、商品導入ガイド４の左右一対のガイド側板４Ｂのうち、幅調整板５と同じ側に位置する可動ガイド側板４Ｂが上下方向及び通路幅方向に一体的に移動操作可能な状態で固定連結されている。
【００５０】
図１に示すように、三列目以降の商品収納コラム内に配設される各幅調整板５の上部には、商品導入ガイド４の左右一対のガイド側板４Ｂのうち、幅調整板５と同じ側に位置する可動ガイド側板４Ｂが、上下方向に相対移動可能な弾性挾持状態で嵌合保持されていて、幅調整板５と可動ガイド側板４Ｂとを一体的に通路幅方向に移動操作できるように構成されている。
【００５１】
最前列の商品収納コラム内に配設される幅調整板５の上部には、図１に示すように、これを上下方向及び通路幅方向に移動操作するための円形の指掛け操作孔８が形成されているとともに、二列目の商品収納コラム内に配設される可動ガイド側板４Ｂには、これと幅調整板５とを上下方向及び通路幅方向に移動操作するための円形の指掛け操作孔９が形成され、更に、各指掛け操作孔８、９の周縁がバーリング加工によって折り曲げ形成されている。
【００５２】
前記各商品収納通路Ｓは、図１〜図４に示すように、収納予定商品Ｇの最大長さよりも若干大きな間隔で固定連結された左右一対の側板２間に亘って、上下方向に沿って配設される多数の湾曲状（円弧状）のガイド板１０，１１を前後方向に間隔をおいて対向する状態で取付けることにより区画形成されているとともに、前後方向で対向するガイド板１０，１１同士の高さを互いに半ピッチずつ位置齟齬させることにより、各商品収納通路Ｓが商品補充時の落下衝撃を緩和可能な蛇行状に構成されている。
【００５３】
前記ガイド板１０，１１のうち、商品収納通路Ｓの後方側に位置するガイド板１０は、図３、図４に示すように、上端側の横軸芯Ｘ周りで前後方向に揺動自在で、かつ、幅調整板５の通路幅変更操作領域Ｗ１外の商品収納通路部分Ｗ２内に弾性付勢手段の一例である弾性付勢体１４の弾性力で突出付勢された可動ガイド板から構成されているとともに、商品収納通路Ｓの前方側に位置するガイド板１１は、両側板２間に亘って架設される部材の一例で、商品収納通路Ｓの通路幅Ｗに略相当する長さを有し、かつ、図４に示すよう、それの上下両端部が側板２に直接的又は間接的に固定された固定ガイド板から構成されている。
【００５４】
更に、各商品収納通路Ｓの下部側で、かつ、商品払出機構Ａの上方近傍箇所には、図１、図２、図１８に示すように、商品収納通路Ｓ内の商品Ｇの存否を検出するべく、幅調整板５の通路幅変更操作領域Ｗ１外の商品収納通路部分Ｗ２内に板バネ３６の弾性力で突出付勢された板金製の売切れ感知板（売切れフラッパー）２３がそれの上端側の横軸芯周りで揺動自在に設けられているとともに、二列目以降の各商品収納通路Ｓの入口部には、傾斜導入通路Ｓ１に沿って転動する商品Ｇと当接して、商品Ｇの投入姿勢を矯正する投入姿勢矯正板２２が、商品Ｇとの当接に連れて商品Ｇの通過を許容する位置にまで横軸芯周りで逃げ揺動自在に設けられている。
【００５５】
次に、前記可動ガイド板１０の支持構造について詳述すると、図３〜図７に示すように、左右の側板２間に亘って架設される上下方向に幅のある板状の取付け基材（両側板２間に亘って架設される部材の一例である）１２に、可動ガイド板１０を揺動自在に枢支する枢支手段１３と、これに枢支された可動ガイド板１０に突出側への弾性付勢力を付与した状態で弾性付勢体の一例である捻じりコイルバネ１４を取付ける取付け手段１５とを設けるとともに、前記取付け基材１２の商品収納通路Ｓ側に臨む内側面のうち、幅調整板５の通路幅変更操作領域Ｗ１に対応する部分が、商品収納通路Ｓに投入された商品Ｇを下方に移動案内するガイド面１２ａに構成されている。
【００５６】
前記枢支手段１３は、図５〜図７に示すように、可動ガイド板１０の左右両側縁に折り曲げ形成された側縁フランジ部１０Ａの上端近くに貫通形成された横軸芯Ｘに沿う枢支孔１３Ａと、両枢支孔１３Ａに対して通路幅Ｗ方向から抜き差し自在に貫通支持される丸棒状の枢支軸１３Ｂと、これの両端部を通路幅Ｗ方向から抜き差し自在に貫通支持するべく、取付け基材１２のうち、枢支軸１３Ｂの両端部に対応する部位にＶ字状に打ち出し形成された軸受け部１３Ｃとから構成されている。
【００５７】
前記両軸受け部１３Ｃの通路幅Ｗ方向での外側面間寸法Ｌ１が、可動ガイド板１０の両側縁フランジ部１０Ａの内側面間寸法Ｌ２よりも若干小に構成されていて、両軸受け部１３Ｃの外側面をもって、可動ガイド板１０の通路幅Ｗ方向での相対移動を阻止する位置決め面に構成されている。
【００５８】
前記取付け基材１２のうち、両軸受け部１３Ｃ間に位置する左右の二ケ所には、図５〜図７に示すように、通路幅Ｗ方向の一側方から差し込み操作される支軸１３Ｂを横軸芯Ｘ上に沿って移動案内する差し込みガイド１６が打出し形成されているとともに、各差し込みガイド１６が、支軸１３Ｂの差込方向下手側ほど横軸芯Ｘ側に近接位置する傾斜姿勢で切り起こし形成された上下一対のガイド片１６ａ，１６ｂから構成され、更に、上方側のガイド片１６ａが、下方側のガイド片１６ｂよりも支軸１３Ｂの差込方向下手側に偏位する状態で配設されている。
【００５９】
前記取付け基材１２には、図５〜図７に示すように、両軸受け部１３Ｃに対して通路幅Ｗ方向の一側方から枢支軸１３Ｂが所定装着位置にまで差し込まれたとき、この枢支軸１３Ｂの先端に通路幅Ｗ方向から当接する当り部１７がＶ字状に打ち出し形成されているとともに、所定装着位置に差し込まれた枢支軸１３Ｂの抜出し移動を、取付け基材１２が架設される一方の側板２　で阻止するように構成されている。
【００６０】
前記取付け手段１５について詳述すると、図５〜図７に示すように、取付け基材１２のうち、両差し込みガイド１６の隣接間における通路幅方向中央位置に、捻じりコイルバネ１４のコイル部１４ａが横軸芯Ｘに沿う姿勢で脱着自在に入込み装着される横長矩形状の装着孔１５ａが貫通形成され、この装着孔１５ａの周縁には、装着孔１５ａ内に入込み装着された捻じりコイルバネ１４のコイル部１４ａに対して通路幅方向から係合することにより、捻じりコイルバネ１４のコイル部１４ａを差し込み操作される枢支軸１３Ｂに外套可能な姿勢で仮止め保持する一対の仮止め係止片１５ｂが形成されているとともに、捻じりコイルバネ１４の両端部１４ｂ，１４ｃが、商品収納通路Ｓとは反対側に位置する可動ガイド板１０の背面と取付け基材１２の外側面とに当て付けられている。
【００６１】
前記取付け基材１２は、図４、図７〜図９に示すように、それの上下両側辺に沿って商品収納通路Ｓとは反対の外側面側にフランジ部１２Ａ，１２Ｂが折り曲げ形成されているとともに、枢支手段１３の形成領域よりも少し上方に偏位した部位を折り曲げ中心として、それよりも下側基材部が鉛直姿勢にある状態で上側フランジ部１２Ａを含む上側基材部が商品収納通路Ｓ側に突出位置するように、通路幅Ｗ方向視において略くの字状に屈曲形成されている。
【００６２】
前記取付け基材１２の下側基材部における商品収納通路Ｓ側の角部１２ｂが、商品Ｇとの接触に伴う可動ガイド板１０の通路外方側への最大揺動位置を当接により規制するためのストッパー部に構成されている。
【００６３】
前記取付け基材１２の上側基材部の左右両端部には、図６〜図９に示すように、側板２に形成されたＶ字状の第１取付け孔１８に対して左右方向（通路幅方向）から差し込み自在で、かつ、所定位置に差し込まれたとき第１取付け孔１８の周縁の一部に係合して左右方向での相対移動を阻止する差込み連結手段Ｃが設けられている。
【００６４】
この差込み連結手段Ｃについて詳述すると、取付け基材１２の端部に、側板２の第１取付け孔１８のＶ字底部に対して通路幅方向から差し込み可能な大きさの第１掛止部１９が一体形成され、この第１掛止部１９には、これの差し込み操作に連れて第１取付け孔１８の周縁の一部、つまり、Ｖ字状に囲まれた上側縁部分２ａを通過可能な状態にまで通路幅Ｗ方向に弾性たわみ変形させるカム面１９ａと、所定差し込み位置で第１取付け孔１８の周縁の一部、つまり、第１取付け孔１８の最下端に相当する下側縁部分２ｂに係合する抜止め用の係止凹部１９ｂとが形成されている。
【００６５】
更に、前記側板２の上側縁部分２ａは、図８、図９に示すように、所定差し込み位置にある取付け基材１２の上方への抜出し移動を阻止する弾性押え部に兼用構成されているとともに、取付け基材１２の下側基材部の左右両端部には、側板２に形成された変形矩形状の第２取付け孔２０に対して左右方向（通路幅方向）から差し込み自在な断面Ｌ字状の第２掛止部２１が一体形成されている。
【００６６】
前記第１取付け孔１８の周縁の一部である上側縁部分２ａが、部材の一例である取付け基材１２の差込み時に弾性たわみ変形を起こし、差込み後に元に復帰して取付け基材１２を抜止め保持する変形部に構成されている。
【００６７】
前記第２取付け孔２０の周縁には、図４、図８に示すように、それに差し込まれたＬ字状の第２掛止部２１の下側先端と上端側背面が当接する当り部２０ａ，２０ｂが形成されていて、この二点での当接により、側板２の第２取付け孔２０と取付け基材１２の第２掛止部２１との間でのガタ付きを抑制するように構成されている。
【００６８】
そして、左右の両側板２の第１取付け孔１８及び第２取付け孔２０に対して、取付け基材１２の第１掛止部１９及び第２掛止部２１を通路幅方向から差し込むだけの簡単な操作をもって、取付け基材１２を両側板２に架設することができるから、構造の簡素化と製造コストの低廉化とを図りながら、組立作業能率の向上を促進することができる。
【００６９】
また、図１、図２、図２４に示すように、商品収納庫内に配設される前後複数列の商品収納コラムの商品収納通路Ｓのうち、最前列に位置する商品収納通路Ｓの最上部位置には、可動ガイド板１０の少なくとも上側部が商品投入口１に前後方向で対面する状態で取付け基材１２が、差込み連結手段Ｃを介して左右の側板２に取付けられている。
【００７０】
一般に、商品投入口１から手を差し入れながら商品収納通路Ｓの最上部側に商品Ｇを略直接的に投入する形態が採られるため、商品収納通路Ｓの最上部に移入した商品Ｇの投入姿勢を矯正する必要はあるものの、二列目以降の商品収納コラムに対する商品投入ガイド構造のように、商品投入口１から商品収納通路Ｓの上部位置に亘る傾斜導入通路Ｓ１に沿って滑降案内される投入商品Ｇの姿勢を矯正する機能は不要であることを知見し、この知見に基づいて、上述の如く、可動ガイド板１０の少なくとも上側部が商品投入口１に対面する状態で取付け基材１２を取付けることにより、商品収納通路Ｓ側に突出付勢されている可動ガイド板１０を利用して、投入商品Ｇの姿勢を矯正することができるから、構造の複雑な投入姿勢矯正板２２を削減して、最前列に位置する商品収納通路Ｓの上部での商品Ｇの投入姿勢矯正構造を製造コスト面、構造の簡素化面で有利に構成することができる。
【００７１】
次に、前記固定ガイド板１１の支持構造について詳述すると、図１０〜図１５に示すように、各固定ガイド板１１の上端側の左右両側部には、側板２に形成されたＶ字状の第３取付け孔２５に対して左右方向（通路幅方向）から差し込み自在で、かつ、所定位置に差し込まれたとき第３取付け孔２５の周縁の一部に係合して左右方向での相対移動を阻止する差込み連結手段Ｃが設けられているとともに、固定ガイド板１１の下端部には、下方に隣接する他の固定ガイド板１１の上端部に形成されている被係合部２６と係合して、少なくとも両者１１，１１の前後方向での相対移動を阻止する係合部２７が形成されている。
【００７２】
前記差込み連結手段Ｃについて詳述すると、図１１、図１４に示すように、固定ガイド板１１の左右両側部に、側板２の第３取付け孔２５のＶ字底部に対して通路幅方向から差し込み可能な大きさの第３掛止部２８が一体形成され、この第３掛止部２８には、これの差し込み操作に連れて第３取付け孔２５の周縁の一部、つまり、Ｖ字状に囲まれた上側縁部分２ｃを通過可能な状態にまで通路幅Ｗ方向に弾性たわみ変形させるカム面２８ａと、所定差し込み位置で第３取付け孔２５の周縁の一部、つまり、第３取付け孔２５の最下端に相当する下側縁部分２ｄに係合する抜止め用の係止凹部２８ｂとが形成されている。
【００７３】
また、図１２〜図１４に示すように、前記固定ガイド板１１の上端部と第３掛止部２８の上端部とに亘って、商品収納通路Ｓ側に向って突出する上側フランジ部１１Ａが折り曲げ形成されているとともに、左右の側板２の第３取付け孔２５に対して固定ガイド板１１の両第３掛止部２８を所定差し込み位置にまで差し込み操作したとき、各側板２の上側縁部分２ｃの下端と上側フランジ部１１Ａの上面とが当接又は近接位置して、所定差し込み位置にある固定ガイド板１１の上方への抜出し移動を阻止するように構成されている。
【００７４】
前記第３取付け孔２５の周縁の一部である上側縁部分２ｃが、部材の一例である固定ガイド板１１の各第３掛止部２８の差込み時に弾性たわみ変形を起こし、差込み後に元に復帰して固定ガイド板１１の各第３掛止部２８を抜止め保持する変形部（弾性押え部）に構成されている。
【００７５】
前記被係合部２６が、図１１、図１４に示すように、下方に隣接する他の固定ガイド板１１の上端側の左右両側部で、かつ、差込み連結手段Ｃの係止凹部２８ｂを形成する状態で切欠き形成された左右方向の外方にも開口する左右一対の横長矩形状の係止孔から構成されているとともに、前記係合部２７が、固定ガイド板１１の下端縁の左右両側部から下方に突出形成された左右一対の係止突片から構成され、更に、前記固定ガイド板１１の下端側で、かつ、係止突片２７の付け根部よりも少し上方に偏位した部位を折曲げ中心として、下端側部分が商品収納通路Ｓとは反対側に突出するようにくの字状に折り曲げ形成されている。
【００７６】
そして、図１１、図１２に示すように、上段側の固定ガイド板１１の両係止突片２７を、商品収納通路Ｓ側から下段側の固定ガイド板１１の両係止孔２６を通してそれの背面側に挿入係合させることにより、上段側の固定ガイド板１１の下端部と下段側の固定ガイド板１１の上端部との前後方向及び左右方向での相対移動を阻止するように構成されている。
【００７７】
また、前記固定ガイド板１１の係止突片２７には、図１２、図１４に示すように、上下方向に沿って商品収納通路Ｓとは反対側に突出する補強リブ２７ａが膨出形成されているとともに、これに相対向する下段側の固定ガイド板１１の上側フランジ部１１Ａには、係止突片２７の補強リブ２７ａが前後方向から係入する位置決め用の凹部１１ａが切欠き形成されている。
【００７８】
前記商品収納通路Ｓの前方側に沿って配設される固定ガイド板１１のうち、最上段に位置する固定ガイド板１１の上側フランジ部１１Ａには、図１５〜図１７に示すように、この上側フランジ部１１Ａの周囲を覆うＵの字状のカバー部２９Ａと、それの一端側から固定ガイド板１１の背面側に沿って下方に延出される取付け板部２９Ｂとからなるカバー２９が脱着自在に外套されているとともに、前記カバー部２９Ａの他端側の左右両側部には、固定ガイド板１１の係止孔２６に係入する係止片２９ａが一体形成され、更に、前記取付け板部２９Ｂの左右両側部には、左右の側板２に形成された第４取付け孔３０に対して左右方向から脱着自在に係合することにより、カバー２９の抜け出しを防止するとともに、最上段の固定ガイド板１１が第３掛止部２８と側板２の第３取付け孔２５との係合箇所を支点として回動することを阻止する廻り止め用の係止突起２９ｂが一体形成されている。
【００７９】
次に、前記売切れ感知板２３の支持構造について詳述すると、図１８〜図２２に示すように、左右の側板２間に亘って架設される上下方向に幅のある板状の第２取付け基材３５の下端部に、売切れ感知板２３の上端縁の左右二個所に折り曲げ形成されたフック状の係止部２３Ａを左右方向に沿う横軸芯まわりで揺動自在に掛止め支持する筒部３５Ａがカール形成され、この筒部３５Ａの付け根部で、かつ、売切れ感知板２３の両フック状係止部２３Ａに対応する部位には、売切れ感知板２３の両フック状係止部２３Ａに対して上下逆向き姿勢で嵌合装着した第２取付け基材３５の筒部３５Ａをそれの筒軸芯周りで正規の姿勢に戻し回転操作したとき、両フック状係止部２３Ａが周方向から係入するスリット状の係止孔３５Ｂが形成されている。
【００８０】
前記係止孔３５Ｂは、図２３に示すように、二つの商品払出機構Ａが背中合わせ状態で配設されている商品収納コラムに対応できるように、図１９、図２０に示す如く、左右中央側に形成される広幅の係止孔３５Ｂを共用する状態で、第２取付け基材３５の長手方向（左右方向）の三ヶ所に形成されていて、売切れ感知板２３が第２取付け基材３５の右側に取付けられるタイプと左側に取付けられるタイプとに使い分けできるように構成されている。
【００８１】
前記売切れ感知板２３の上端縁で、かつ、両フック状係止部２３Ａの隣接間に位置する二ヶ所には、図１８、図２０に示すように、売切れ感知板２３の両係止部２３Ａに対して上下逆向き姿勢で嵌合装着した第２取付け基材３５の筒部３５Ａの抜け落ちを阻止し、かつ、上下逆向き姿勢で嵌合装着した第２取付け基材３５の筒部３５Ａを筒軸芯周りで正規の姿勢に戻し回転操作するとき、筒部３５Ａの筒軸芯周りでの回転を案内する抜止めガイド片２３Ｂが一体形成されている。
【００８２】
そのため、売切れ感知板２３の両係止部２３Ａに対して、上下逆向き姿勢にある第２取付け基材３５の筒部３５Ａを嵌合装着する場合には、売切れ感知板２３の両係止部２３Ａに対して第２取付け基材３５の筒部３５Ａを筒軸芯方向から挿入する。（図２１（イ）参照）
【００８３】
また、図１８〜図２０に示すように、正規姿勢にある第２取付け基材３５に対して上方から外套装着自在で、かつ、その外套装着時に売切れ感知板２３を商品収納通路Ｓ側に突出付勢する板バネ３６が設けられているとともに、この板バネ３６には、第２取付け基材３５の左右二個所に商品収納通路Ｓ側に向って打出し形成された係止突起３５ａに選択的に係合する外れ止め用の係止孔３６ａが形成されている。
【００８４】
前記第２取付け基材３５の取付け板部３５Ｃの左右両側部には、図２２に示すように、左右の側板２に形成された縦長矩形状の第５取付け孔３７に対して左右方向から差し込み自在な第１掛止突起３９Ａが一体形成されているとともに、第２取付け基材３５の筒部３５Ａの左右両側部には、左右の側板２に形成された円形状の第６取付け孔３８に対して左右方向から差し込み自在な第２掛止突起３９Ｂが一体形成されていて、この第１掛止突起３９Ａと第２掛止突起３９Ｂとから架設用の掛止部３９が構成されている。
【００８５】
そして、左右の側板２間に売切れ感知板２３を組付ける場合、図２１の（イ）に示すように、売切れ感知板２３の両フック状係止部２３Ａと、第２取付け基材３５の下端部に形成された筒部３５Ａとを、第２取付け基材３５を上下逆向き姿勢にした反転状態で筒軸芯方向から嵌合装着し、この反転状態にある第２取付け基材３５の筒部３５Ａをそれの筒軸芯周りで正規の姿勢に戻し回転操作すると、図２１の（ロ）に示すように、両フック状係止部２３Ａが第２取付け基材３５に形成された係止孔３５Ｂに周方向から係入して、第２取付け基材３５と売切れ感知板２３とが係合連結される。
【００８６】
次に、図２１の（ロ）、（ハ）に示すように、この正規姿勢にある第２取付け基材３５に対して上方から板バネ３６を外套装着することにより、売切れ感知板２３を商品収納通路Ｓ側に突出付勢することができるばかりでなく、第２取付け基材３５に対する売切れ感知板２３の抜出しを阻止することができる。
【００８７】
従って、部品点数を削減することができるばかりでなく、カール加工等の複雑な加工数も少なくなり、しかも、左右の側板２間に架設される第２取付け基材３５に売切れ感知板２３と板バネ３６とを予め組付けることによって組立作業性を高めことができるから、構造の簡素化と製造コストの低廉化とを図りつつ組立作業の能率化を促進することができる。
【００８８】
前記売切れ感知板２３は、商品収納通路Ｓ内に投入された商品Ｇとの接当により、板バネ３６の弾性付勢力に抗して商品収納通路Ｓの前後幅を広げる側に退避揺動し、商品Ｇが無くなると、板バネ３６の弾性付勢力で商品収納通路Ｓ内に突出揺動し、これの突出揺動に連動して商品払出機構Ａに設けられた売切れセンサが検知作動し、それの検知信号に基づいて売切れ表示ランプを点灯させるように構成されている。
【００８９】
前記商品導入ガイド４の傾斜底板４Ａの支持構造について詳述すると、図２４〜図３０に示すように、各傾斜底板４Ａの基端部にカール形成された筒部４ａの左右両側部には、側板２に形成されたＶ字状の第７取付け孔４１に対して左右方向（通路幅方向）から差し込み自在で、かつ、所定位置に差し込まれたとき第７取付け孔４１の周縁の一部に係合して左右方向での相対移動を阻止する差込み連結手段Ｃが設けられているとともに、各傾斜底板４Ａの左右両側縁に沿って下方に折り曲げ形成されたフランジ部４ｂの先端側に偏位した部位には、側板２に形成された矩形状の第８取付け孔４２に対して左右方向（通路幅方向）から差し込み自在で、かつ、差込み状態での前後方向への相対移動によって左右方向での抜け出しを阻止するＬ字状の係止突起４３が切りお越し形成されている。
【００９０】
前記差込み連結手段Ｃについて詳述すると、図２６、図２７に示すように、傾斜底板４Ａの基端筒部４ａの左右両側部に、第７取付け孔４１の下部に形成された矩形状のＶ字底部４１ａに対して左右方向から差し込み可能な第４掛止部４４が一体形成され、この第４掛止部４４には、これの差し込み操作に連れて第７取付け孔４１のＶ字底部４１ａの周縁の一部、つまり、Ｖ字状に囲まれた上側縁部分２ｅを通過可能な状態にまで通路幅Ｗ方向に弾性たわみ変形させる押圧端面４４ａと、所定差し込み位置で第７取付け孔４１の周縁の一部、つまり、第７取付け孔４１のＶ字底部４１ａの前側縁に相当する側縁部分２ｆに係合する抜止め用の係止凹部４４ｂが形成されている。
【００９１】
また、図２７に示すように、左右の側板２の第７取付け孔４１に対して傾斜底板４Ａの両第４掛止部４４を所定差し込み位置にまで差し込み操作したとき、各側板２の上側縁部分２ｅの下端と第４掛止部４４の上面とが当接又は近接位置して、所定差し込み位置にある傾斜底板４Ａの両第４掛止部４４の上方への抜出し移動を阻止するように構成されている。
【００９２】
前記第７取付け孔４１の周縁の一部である上側縁部分２ｅが、部材の一例である傾斜底板４Ａの各第４掛止部４４の差込み時に弾性たわみ変形を起こし、差込み後に元に復帰して傾斜底板４Ａの各第４掛止部４４を抜止め保持する変形部（弾性押え部）に構成されている。
【００９３】
前記第８取付け孔４２は、図２８、図２９に示すように、正規の装着姿勢にある傾斜底板４Ａの上面に対して傾斜していて、それの一つの角部４２ａに係止突起４３が係合するように構成されている。
そのため、第８取付け孔４２の幅を、係止突起４３の抜き差しを容易に行い得るだけの余裕のある幅に構成しながらも、傾斜底板４Ａが側板２に装着された状態では、第８取付け孔４２の角部４２ａと係止突起４３との係合によって上下方向でのガタッキを抑制することができる。
【００９４】
そして、商品導入ガイド４の傾斜底板４Ａを左右の側板２間に亘って装着する場合には、図３０（イ）に示すように、傾斜底板４Ａを正規装着姿勢よりも少し前端側を持ち上げた傾斜姿勢にして、傾斜底板４Ａの両係止突起４３を側板２の第８取付け孔４２に対して左右方向から差し込んだのち、図３０（ロ）に示すように、傾斜底板４Ａを前方に押し込み、傾斜底板４Ａの両係止突起４３を第８取付け孔４２の角部４２ａに係合させる。
【００９５】
次に、図３０（ハ）に示すように、両係止突起４３と第８取付け孔４２の角部４２ａとの係合個所を揺動支点として、傾斜底板４Ａを正規装着姿勢にまで押し下げ、その状態で傾斜底板４Ａの両第４掛止部４４を、左右の側板２の第７取付け孔４１に対して左右方向から所定差し込み位置にまで差し込み操作し、両第４掛止部４４の係止凹部４４ｂを、第７取付け孔４１の周縁の側縁部分２ｆに係合させる。
【００９６】
前記商品導入ガイド４の傾斜底板４Ａは、図２４に示すように、商品投入口１から投入された商品Ｇを最前列の商品収納コラムの上部を通して二列目の商品収納コラムにまで滑降供給可能な長さの第１傾斜底板４Ａと、商品投入口１から投入された商品Ｇを最前列及び二列目の商品収納コラムの上部を通して三列目の商品収納コラムにまで滑降供給可能な長さの第２傾斜底板４Ａとの二種類から構成されていて、第１傾斜底板４Ａ及び第２傾斜底板４Ａを、庫内に形成される前後方向でのコラム総数に基づいた組み合わせで各商品収納コラムユニットＵの上部に装着されているとともに、庫内に複数の商品収納コラムユニットＵが前後方向から組み付けられたとき、前後で隣接する両傾斜底板４Ａの滑降ガイド面４ｃ同士、換言すれば、前後で隣接する両傾斜底板４Ａの傾斜導入通路部分同士が連続又は略連続するように構成されている。
【００９７】
例えば、図２４に示すように、商品収納庫内に、商品収納コラムを前後方向で二列形成してある商品収納コラムユニットＵの三つが前後方向から組付けられている商品収納装置の場合では、最前列の商品収納コラムユニットＵの上部に、長尺側の四つの第２傾斜底板４Ａと短尺側の一つの第１傾斜底板４Ａとを装着し、中央列の商品収納コラムユニットＵの上部には、長尺側の二つの第２傾斜底板４Ａと短尺側の一つの第１傾斜底板４Ａとを装着し、更に、最後列の商品収納コラムユニットＵの上部には、短尺側の一つの第１傾斜底板４Ａを装着する。
【００９８】
そして、この三つの商品収納コラムユニットＵを商品収納庫内に前後方向から組み付けた状態では、最上段に位置する一つの短尺側の第１傾斜底板４Ａと二つの長尺側の第２傾斜底板４Ａとが一直線状に連続又は略連続して、商品投入口１から投入された商品Ｇを最前列〜五列目までの商品収納コラムの上部を通して最後列の商品収納コラムにまで滑降供給する一つの傾斜導入通路Ｓ１を形成するとともに、上から二段目においては、長尺側の二つの第２傾斜底板４Ａ同士が一直線状に連続又は略連続して、商品投入口１から投入された商品Ｇを最前列〜四列目までの商品収納コラムの上部を通して五列目の商品収納コラムにまで滑降供給する一つの傾斜導入通路Ｓ１を形成し、更に、上から三段目においては、一つの短尺側の第１傾斜底板４Ａと一つの長尺側の第２傾斜底板４Ａとが一直線状に連続又は略連続して、商品投入口１から投入された商品Ｇを最前列〜三列目までの商品収納コラムの上部を通して四列目の商品収納コラムにまで滑降供給する一つの傾斜導入通路Ｓ１を形成する。
【００９９】
尚、第１傾斜底板４Ａ及び第２傾斜底板４Ａの支持構造は、係止突起４３から第４掛止部４４までの距離、及び、側板２に形成される第８取付け孔４２の傾きが異なるだけで、それ以外の具体的構造は実質的に略同一である。
【０１００】
次に、前記投入姿勢矯正板２２の支持構造について詳述すると、図３１〜図３３に示すように、左右の側板２間に亘って架設される円筒状にカール形成された枢支筒軸（両側板２間に亘って架設される部材の一例である）４５のうち、幅調整板５の通路幅変更操作領域Ｗ１外の商品収納通路部分Ｗ２に対応する軸部分には、投入姿勢矯正板２２の左右両側縁の長手方向中央位置に折曲げ形成された取付け片２２ａがシーソー揺動自在に取付けられているとともに、枢支筒軸４５の左右両側部には、側板２に形成された逆Ｖ字状の第９取付け孔４６に対して左右方向（通路幅方向）から差し込み自在で、かつ、所定位置に差し込まれたとき第９取付け孔４６の周縁の一部に係合して左右方向での相対移動を阻止する差込み連結手段Ｃが設けられている。
【０１０１】
前記差込み連結手段Ｃについて詳述すると、図３２、図３３に示すように、枢支筒軸４５の左右両側部に、第９取付け孔４６の上部に形成された矩形状の逆Ｖ字頂部４６ａに対して左右方向から差し込み可能な第５掛止部４５Ａが一体形成され、この第５掛止部４５Ａには、これの差し込み操作に連れて第９取付け孔４６の逆Ｖ字頂部４６ａの周縁の一部、つまり、逆Ｖ字状に囲まれた下側縁部分２ｇを通過可能な状態にまで通路幅Ｗ方向に弾性たわみ変形させる押圧端面４５ａと、所定差し込み位置で第９取付け孔４６の周縁の一部、つまり、第９取付け孔４６の逆Ｖ字頂部４６ａの前後側縁に相当する側縁部分２ｈに係合する一対の抜止め用の係止凹部４５ｂが形成されている。
【０１０２】
また、図３３に示すように、左右の側板２の第９取付け孔４６に対して枢支筒軸４５の両第５掛止部４５Ａを所定差し込み位置にまで差し込み操作したとき、各側板２の下側縁部分２ｇの上端と第５掛止部４５Ａの下面とが当接又は近接位置して、所定差し込み位置にある枢支筒軸４５の両第５掛止部４５Ａの下方への抜出し移動を阻止するように構成されている。
【０１０３】
前記第９取付け孔４６の周縁の一部である下側縁部分２ｇが、部材の一例である枢支筒軸４５の各第５掛止部４５Ａの差込み時に弾性たわみ変形を起こし、差込み後に元に復帰して枢支筒軸４５の各第５掛止部４５Ａを抜止め保持する変形部（弾性押え部）に構成されている。
【０１０４】
また、図３１に示すように、前記投入姿勢矯正板２２のうち、枢支筒軸４５よりも前方側が、商品導入ガイド４の傾斜底板４Ａに沿って滑降案内されてくる商品Ｇと当接可能な姿勢矯正板部２２Ａに構成され、枢支筒軸４５よりも後方側が、姿勢矯正板部２２Ａを押し上げて通過してきた商品Ｇを商品収納通路Ｓの入口部内に落下案内する落下ガイド板部２２Ｂに構成されている。
【０１０５】
前記姿勢矯正板部２２Ａは、落下ガイド板部２２Ｂよりも大なる重量に構成されていて、姿勢矯正板部２２Ａが傾斜導入通路Ｓ１側に突出付勢されているとともに、その姿勢矯正板部２２Ａの最大突出位置が、最上部に位置する可動ガイド板１０の上端部との当接により規制されるように構成されている。
【０１０６】
前記枢支筒軸４５は、幅調整板５の上端部に貫通されていて、幅調整板５を通路幅Ｗ方向に沿って移動案内するガイド杆に兼用構成されている。
【０１０７】
〔第２実施形態〕
図３４〜図３６は可動ガイド板１０の支持構造の別実施形態を示し、左右の側板２間に亘って架設される上下方向に幅のある板状の取付け基材（両側板２間に亘って架設される部材の一例である）１２に、可動ガイド板１０を揺動自在に枢支する枢支手段１３と、弾性付勢体の一例である捻じりコイルバネ１４を可動ガイド板１０に突出側への弾性付勢力を付与した状態で取付ける取付け手段１５とを設けるとともに、取付け基材１２の商品収納通路Ｓ側に臨む内側面が、商品収納通路Ｓに投入された商品Ｇを下方に移動案内するガイド面１２ａに構成され、更に、左右の側板２に設けられた取付け孔４７，４８に対して差し込み自在で、かつ、所定位置に差し込まれたとき取付け基材１２の左右方向での相対移動を阻止する差込み連結手段Ｃが設けられている。
【０１０８】
前記枢支手段１３を構成するに、可動ガイド板１０の上端部の左右両側部分をカール状に折り曲げ加工して、揺動軸芯Ｘを軸芯とする略円筒状の左右一対の筒軸部１３Ｄを形成するとともに、取付け基材１２の下端側の左右両側部を略Ｕの字状に折り曲げ加工して、可動ガイド板１０の両筒軸部１３Ｄを揺動軸芯Ｘ周りで揺動自在に支承する軸受け部１３Ｅを形成し、更に、取付け基材１２の下端側の中間板部１２ｃには、左右の軸受け部１３Ｅに受止められた可動ガイド板１０の両筒軸部１３Ｄの上方への抜け出し移動を当接により阻止する抜止め係止片１３Ｆが打ち出し形成されている。
【０１０９】
前記取付け手段１５について詳述すると、取付け基材１２の揺動軸芯Ｘ方向中央側に位置する可動ガイド板１０の一方の筒軸部１３Ｄに、捻じりコイルバネ１４のコイル部１４ａが揺動軸芯Ｘに沿う姿勢で外装されているとともに、捻じりコイルバネ１４の両端部１４ｂ，１４ｃが、商品収納通路Ｓとは反対側に位置する可動ガイド板１０の背面と取付け基材１２の外側面とに当て付けられている。
【０１１０】
前記差込み連結手段Ｃについて詳述すると、取付け基材１２の上端部に略円筒状に折り曲げ形成された筒状補強部１２Ｄの左右両端部に、側板２の第１０取付け孔４７に対して通路幅方向から差し込み可能な大きさの第５掛止部３１が一体的に突出形成されているとともに、取付け基材１２の上下中間部に折り曲げ形成されたＵ字状補強部１２Ｅの左右両端部には、側板２の第１１取付け孔４８に対して通路幅方向から差し込み可能な大きさの第６掛止部３２が一体的に突出形成され、更に、第５掛止部３１及び第６掛止部３２が所定位置に差し込まれたとき、取付け基材１２の左右両端面１２ｅが側板２の内側面に接触又は近接して、取付け基材１２の左右方向での相対移動を阻止するように構成されている。
尚、その他の構成は、第１実施形態で説明した構成と同一であるから、同一の構成箇所には、第１実施形態と同一の番号を付記してそれの説明は省略する。
【０１１１】
〔第３実施形態〕
図３７〜図３９は可動ガイド板１０の支持構造の別実施形態を示し、左右の側板２間に亘って架設される上下方向に幅のある板状の取付け基材（両側板２間に亘って架設される部材の一例である）１２に、可動ガイド板１０を揺動自在に枢支する枢支手段１３と、弾性付勢体の一例である捻じりコイルバネ１４を可動ガイド板１０に突出側への弾性付勢力を付与した状態で取付ける取付け手段１５とを設けるとともに、取付け基材１２の商品収納通路Ｓ側に臨む内側面が、商品収納通路Ｓに投入された商品Ｇを下方に移動案内するガイド面１２ａに構成され、更に、左右の側板２に設けられた取付け孔４７，４８に対して差し込み自在で、かつ、所定位置に差し込まれたとき取付け基材１２の左右方向での相対移動を阻止する差込み連結手段Ｃが設けられている。
【０１１２】
前記枢支手段１３を構成するに、可動ガイド板１０の上端部の左右中間部分をカール状に折り曲げ加工して、揺動軸芯Ｘを軸芯とする略円筒状の左右一対の筒軸部１３Ｇを形成するとともに、取付け基材１２の下端側の左右両側部をカール状に折り曲げ加工して、可動ガイド板１０の筒軸部１３Ｇの左右両端部を揺動軸芯Ｘ周りで揺動自在に内嵌支承する略円筒状の軸受け筒部１３Ｈを形成し、更に、取付け基材１２の下端側の中間板部１２ｄには、可動ガイド板１０に形成された矩形状の貫通孔１０ａに係入することにより、取付け基材１２の両軸受け筒部１３Ｈに嵌合保持された可動ガイド板１０の揺動軸芯Ｘ方向への相対移動を当接により阻止する係止片１３Ｊが打ち出し形成されている。
【０１１３】
前記取付け手段１５について詳述すると、取付け基材１２の両軸受け筒部１３Ｈのうち、揺動軸芯Ｘ方向の中央側に位置する軸受け筒部１３Ｈに、可動ガイド板１０を商品収納通路Ｓ側に突出付勢する捻じりコイルバネ１４のコイル部１４ａが揺動軸芯Ｘに沿う姿勢で外装されているとともに、捻じりコイルバネ１４の両端部１４ｂ，１４ｃが、商品収納通路Ｓとは反対側に位置する可動ガイド板１０の背面と取付け基材１２の外側面とに当て付けられている。
【０１１４】
つまり、前記取付け基材１２の両軸受け筒部１３Ｈのうち、揺動軸芯Ｘ方向の中央側に位置する軸受け筒部１３Ｈが、可動ガイド板１０を商品収納通路Ｓ側に突出付勢する捻りコイルバネ１４のコイル部１４ａを外嵌状態で保持するコイル保持部４９に兼用構成されている。
【０１１５】
そして、可動ガイド板１０が商品Ｇと接触して捻りコイルバネ１４の弾性復元力に抗して揺動したとき、その揺動に連れて捻りコイルバネ１４のコイル部１４ａが縮径しても、縮径されたコイル部１４ａが挾持密着されるのは、固定側の取付け基材１２に設けられたコイル保持部４９となるから、例えば、第２実施形態に示すように、取付け基材１２に揺動自在に支承される可動ガイド板１０側の筒軸部１３Ｄに捻りコイルバネ１４のコイル部１４ａを外嵌装着してある場合のように、捻りコイルバネ１４の支持反力の一部が筒軸部１３Ｄに作用することがなく、可動ガイド板１０の復帰揺動がスムーズになり、可動ガイド板の揺動復帰性能を高めることができる。
【０１１６】
前記差込み連結手段Ｃについて詳述すると、取付け基材１２の上端部に略円筒状に折り曲げ形成された筒状補強部１２Ｄの左右両端部に、側板２の第１０取付け孔４７に対して通路幅方向から差し込み可能な大きさの第７掛止部３３が一体的に突出形成されているとともに、取付け基材１２の上下中間部にクランク状に折り曲げ形成された補強部１２Ｆの左右両端部には、側板２の第１１取付け孔４８に対して通路幅方向から差し込み可能な大きさの第８掛止部３４が一体的に突出形成され、更に、第７掛止部３３及び第８掛止部３４が所定位置に差し込まれたとき、取付け基材１２の左右両端面１２ｅが側板２の内側面に接触又は近接して、取付け基材１２の左右方向での相対移動を阻止するように構成されている。尚、その他の構成は、第１実施形態で説明した構成と同一であるから、同一の構成箇所には、第１実施形態と同一の番号を付記してそれの説明は省略する。
【０１１７】
〔その他の実施形態〕
（１）上述の第１実施形態では、前記ガイド板１０，１１のうち、商品収納通路Ｓの後方側に位置するガイド板１０を、上端側の横軸芯Ｘ周りで前後方向に揺動自在で、かつ、幅調整板５の通路幅変更操作領域Ｗ１外の商品収納通路部分Ｗ２内に弾性付勢体１４の弾性力で突出付勢された可動ガイド板から構成したが、商品収納通路Ｓの後方側に配設される一部のガイド板１０を可動ガイド板に構成してもよく、また、商品収納通路Ｓの前方側に配設される固定ガイド板１１の全て又は一部を可動ガイド板１０に構成してもよい。
更に、商品収納通路Ｓの後方側に位置する可動ガイド板１０の一部又は全部を固定ガイド板１１から構成してもよい。
【０１１８】
要するに、上述の第１実施形態では、前記ガイド板１１の左右両側部及びガイド板１０を組付けてある取付け基材１２の左右両側部の各々に、側板２に形成された取付け孔２５，１８に対して左右方向から差し込み自在で、かつ、所定位置に差し込まれたとき取付け孔２５，１８の周縁に係合して左右方向での相対移動を阻止する差込み連結手段Ｃを設けたが、ガイド板１１の左右両側部又はガイド板１０を組付けてある取付け基材１２の左右両側部の各々にのみ、側板２に形成された取付け孔２５又は１８に対して左右方向から差し込み自在で、かつ、所定位置に差し込まれたとき取付け孔２５又は１８の周縁に係合して左右方向での相対移動を阻止する差込み連結手段Ｃを設けてもよい。
【０１１９】
（２）上述の第１実施形態では、前記枢支手段１３を、可動ガイド板１０の側縁フランジ部１０Ａに貫通形成された枢支孔１３Ａと、取付け基材１２に打ち出し形成された軸受け部１３Ｃと、これらに亘って貫通支持される枢支軸１３Ｂととから構成したが、前記可動ガイド板１０に枢支軸１３Ｂを固着又は一体形成して実施してもよい。
要するに、前記枢支手段１３としては、可動ガイド板１０を揺動自在に枢支することのできるものであれば、如何なる構造に構成してもよい。
【０１２０】
（３）上述の第１実施形態では、前記可動ガイド板１０を商品収納通路Ｓ内に突出付勢する弾性付勢体１４を捻じりコイルバネから構成したが、板バネ等の他の弾性付勢体を用いて実施してもよく、また、これに伴って、前記枢支手段１３に枢支された可動ガイド板１０に対して突出側への弾性付勢力を付与した状態で弾性付勢体１４を取付け基材１２に取付ける取付け手段１５の構造も種々変更可能である。
【０１２１】
（４）　前記固定ガイド板１１の左右両側部又は可動ガイド板１０を組付けてある取付け基材１２の左右両側部の各々に設けられる差込み連結手段Ｃの構造も種々変更可能で、側板２に形成された取付け孔１８，２５に対して左右方向から差し込み自在で、かつ、所定位置に差し込まれたとき取付け孔１８，２５の周縁に係合して左右方向での相対移動を阻止することのできるものであれば、如何なる構造に構成してもよい。
【図面の簡単な説明】
【図１】本願発明の第１実施形態を示す自動販売機の商品収納装置の断面側面図
【図２】商品収納コラムユニットの拡大断面側面図
【図３】商品収納コラムの要部の拡大正面図
【図４】商品収納コラムの要部の拡大側面図
【図５】取付け基材に可動ガイド板を組付ける前の一部切欠き正面図
【図６】取付け基材に可動ガイド板を組付けたときの正面図
【図７】取付け基材に可動ガイド板を組付ける前の斜視図
【図８】側板に取付け基材を取付ける前の要部の斜視図
【図９】側板に取付け基材を取付けたときの要部の断面正面図
【図１０】商品収納コラムの要部の拡大正面図
【図１１】固定ガイド板の取付け部の拡大断面正面図
【図１２】図１１のＸＩＩ−ＸＩＩ線拡大断面図
【図１３】図１１のＸＩＩＩ−ＸＩＩＩ線拡大断面図
【図１４】側板に固定ガイド板を取付ける前の要部の斜視図
【図１５】最上段の固定ガイド板とカバーとの取付け部を示す要部の拡大断面正面図
【図１６】図１５のＸＶＩ−ＸＶＩ線断面図
【図１７】最上段の固定ガイド板とカバーとの取付け部を示す要部の分解斜視図
【図１８】売切れ感知板の取付け構造を示す拡大側面図
【図１９】売切れ感知板の取付け構造を示す拡大正面図
【図２０】売切れ感知板の取付け構造を示す分解斜視図
【図２１】（イ）〜（ハ）は第２取付け基材に売切れ感知板及び板バネを取付けるときの手順を示す要部の断面側面図
【図２２】（イ）は第２取付け基材を側板に取付ける前の要部の斜視図
（ロ）は第２取付け基材を側板に取付けたときの要部の断面図
【図２３】商品収納コラムユニットの下部の拡大断面側面図
【図２４】商品収納装置の上部側の断面側面図
【図２５】商品導入ガイドの傾斜底板の平面図
【図２６】側板と傾斜底板の基端部との取付け構造を示す装着前の要部の拡大斜視図
【図２７】側板と傾斜底板の基端部との取付け構造を示す装着後の要部の拡大断面側面図
【図２８】側板と傾斜底板の先端部との取付け構造を示す装着前の要部の拡大斜視図
【図２９】側板と傾斜底板の先端部との取付け構造を示す装着後の要部の拡大側面図
【図３０】（イ）〜（ハ）は傾斜底板の装着手順を示す側面図
【図３１】投入姿勢矯正板の取付け構造を示す要部の拡大断面側面図
【図３２】投入姿勢矯正板の枢支筒軸と側板との取付け構造を示す装着前の要部の拡大斜視図
【図３３】投入姿勢矯正板の枢支筒軸と側板との取付け構造を示す装着後の要部の拡大断面側面図
【図３４】本願発明の第２実施形態を示す商品収納コラムの要部の拡大正面図
【図３５】取付け基材に可動ガイド板を組付ける前の拡大分解斜視図
【図３６】取付け基材に可動ガイド板を組付けたときの拡大側面図
【図３７】本願発明の第３実施形態を示す商品収納コラムの要部の拡大正面図
【図３８】取付け基材に可動ガイド板を組付ける前の拡大分解斜視図
【図３９】取付け基材に可動ガイド板を組付けたときの拡大側面図
【図４０】従来の自動販売機の商品収納コラムの要部を示す分解斜視図
【符号の説明】
Ｃ　　　差込み連結手段
Ｇ　　　商品
Ｓ　　　商品収納通路
Ｗ　　　通路幅
Ｗ１　　通路幅変更操作領域
Ｗ２　　商品収納通路部分
２　　　側板
２ａ　　上側縁部分（変形部）
２ｃ　　上側縁部分（変形部）
２ｅ　　上側縁部分（変形部）
２ｇ　　下側縁部分（変形部）
４Ａ　　傾斜底板（部材）
５　　　幅調整板
１０　　ガイド板（可動ガイド板）
１１　　ガイド板（固定ガイド板、部材）
１２　　取付け基材（部材）
１３　　枢支手段
１３Ｇ　筒軸部
１３Ｈ　軸受け筒部
１４　　弾性付勢手段（捻じりコイルバネ）
１４ａ　コイル部
１５　　取付け手段
１８　　取付け孔（第１取付け孔）
１９　　掛止部（第１掛止部）
１９ａ　カム面
１９ｂ　係止凹部
２０　　取付け孔（第２取付け孔）
２１　　掛止部（第２掛止部）
２３　　売切れ感知板
２３Ａ　フック状係止部
２５　　取付け孔（第３取付け孔）
２６　　被係合部（掛止孔）
２７　　係合部（係止突起）
２８　　掛止部（第３掛止部）
２８ａ　カム面
２８ｂ　係止凹部
３０　　取付け孔（第４取付け孔）
３１　　掛止部（第５掛止部）
３２　　掛止部（第６掛止部）
３３　　掛止部（第７掛止部）
３４　　掛止部（第８掛止部）
３５　　第２取付け基材
３５Ａ　筒部
３５Ｂ　係止孔
３６　　板バネ
３７　　取付け孔（第５取付け孔）
３８　　取付け孔（第６取付け孔）
３９　　掛止部
４１　　取付け孔（第７取付け孔）
４２　　取付け孔（第８取付け孔）
４４　　掛止部（第４掛止部）
４５　　枢支筒軸（部材）
４６　　取付け孔（第９取付け孔）
４７　　取付け孔（第１０取付け孔）
４８　　取付け孔（第１１取付け孔）
４９　　コイル保持部
【図１】
2004086854.tif 000003
【図２】
2004086854.tif 000004
【図３】
2004086854.tif 000005
【図４】
2004086854.tif 000006
【図５】
2004086854.tif 000007
【図６】
2004086854.tif 000008
【図７】
2004086854.tif 000009
【図８】
2004086854.tif 000010
【図９】
2004086854.tif 000011
【図１０】
2004086854.tif 000012
【図１１】
2004086854.tif 000013
【図１２】
2004086854.tif 000014
【図１３】
2004086854.tif 000015
【図１４】
2004086854.tif 000016
【図１５】
2004086854.tif 000017
【図１６】
2004086854.tif 000018
【図１７】
2004086854.tif 000019
【図１８】
2004086854.tif 000020
【図１９】
2004086854.tif 000021
【図２０】
2004086854.tif 000022
【図２１】
2004086854.tif 000023
【図２２】
2004086854.tif 000024
【図２３】
2004086854.tif 000025
【図２４】
2004086854.tif 000026
【図２５】
2004086854.tif 000027
【図２６】
2004086854.tif 000028
【図２７】
2004086854.tif 000029
【図２８】
2004086854.tif 000030
【図２９】
2004086854.tif 000031
【図３０】
2004086854.tif 000032
【図３１】
2004086854.tif 000033
【図３２】
2004086854.tif 000034
【図３３】
2004086854.tif 000035
【図３４】
2004086854.tif 000036
【図３５】
2004086854.tif 000037
【図３６】
2004086854.tif 000038
【図３７】
2004086854.tif 000039
【図３８】
2004086854.tif 000040
【図３９】
2004086854.tif 000041
【図４０】
2004086854.tif 000042